(57)【特許請求の範囲】
【請求項１】
横方向振動を生成する振動試験装置と、免震手段を介して互いに相対的に変位する上下二層で構成され、該下層が上記振動試験装置に取り付けられ、該上層が体験ゾーンとされる免震試験装置と、該免震試験装置および上記振動試験装置から振動絶縁された計測位置の間に設けられ、上記上下二層それぞれの変位を個別に表示する表示手段とを備え、
上記表示手段は、上記計測位置に、上記体験ゾーンに向かい合わせて配置されたスケールと、上記上層および下層それぞれに個別に固定して設けられ、上記スケールに向けて指向性の光線を出力する発光源とを備えて構成されることを特徴とする免震作用体験設備。
【請求項２】
前記免震試験装置の免震作用を調整するために、前記上下二層の相対変位を抑制する制動手段を備えることを特徴とする請求項１に記載の免震作用体験設備。
【請求項３】
前記制動手段の操作部が、前記体験ゾーンに設けられることを特徴とする請求項２に記載の免震作用体験設備。
【発明の詳細な説明】
【技術分野】
【０００１】
本発明は、免震体験を、体験者の実感のみに頼るだけでなく、視覚的もしくは体感的にわかりやすい共通の指標・基準等で感受させることが可能で、免震作用の体験中、体験者個々の感受性に加えて、その体験を客観的に理解させることが可能な免震作用体験設備に関する。
【背景技術】
【０００２】
免震体験装置としては、例えば特許文献１が知られている。この免震体験装置は、床上に置かれるベース台と、このベース台上に可動に設けられた第１の可動台と、第１の可動台上に免震装置を介して載置され、体験者が乗ることとなる第２の可動台とから成る。第１の可動台の側面には枠体が設けられ、これと対応する箇所の第２の可動台の側面位置には枠体が設けられている。角筒状の切替ピンを両枠体に差し込むと、第１の可動台と第２の可動台とが連結固定された状態となる。一方、切替ピンを両枠体から離脱させると、第１の可動台と第２の可動台との互いの位置移動を許容する状態となる。これにより、第２の可動台に乗る体験者に、免震装置を機能させないで大きな揺れを体験させることができると共に、免震装置を機能させて揺れが小さくなることを体験させることができる。
【特許文献１】特開２００３−１１４６０４号公報
【発明の開示】
【発明が解決しようとする課題】
【０００３】
ところで、上記背景技術にあっては、免震装置を機能させるか、機能させないかによって、体験者に揺れの大小を体験させることはできるけれども、その体験は体験者の実感に頼るのみであってその実感を表す何らの指標・基準等もなく、そのために、免震を体験している最中、その状況は体験者個々の感受性に左右されて、意図した体験を感受させることが難しいという課題があった。
【０００４】
本発明は上記従来の課題に鑑みて創案されたものであって、免震体験を、体験者の実感のみに頼るだけでなく、視覚的もしくは体感的にわかりやすい共通の指標・基準等で感受させることが可能で、免震作用の体験中、体験者個々の感受性に加えて、その体験を客観的に理解させることが可能な免震作用体験設備を提供することを目的とする。
【課題を解決するための手段】
【０００５】
本発明にかかる免震作用体験設備は、横方向振動を生成する振動試験装置と、免震手段を介して互いに相対的に変位する上下二層で構成され、該下層が上記振動試験装置に取り付けられ、該上層が体験ゾーンとされる免震試験装置と、該免震試験装置および上記振動試験装置から振動絶縁された計測位置の間に設けられ、上記上下二層それぞれの変位を個別に表示する表示手段とを備え、上記表示手段は、上記計測位置に、上記体験ゾーンに向かい合わせて配置されたスケールと、上記上層および下層それぞれに個別に固定して設けられ、上記スケールに向けて指向性の光線を出力する発光源とを備えて構成されることを特徴とする。
【０００８】
前記免震試験装置の免震作用を調整するために、前記上下二層の相対変位を抑制する制動手段を備えることを特徴とする。
【０００９】
前記制動手段の操作部が、前記体験ゾーンに設けられることを特徴とする。
【発明の効果】
【００１０】
本発明にかかる免震作用体験設備にあっては、免震体験を、体験者の実感のみに頼るだけでなく、視覚的もしくは体感的にわかりやすい共通の指標・基準等で感受させることができ、免震作用の体験中、体験者個々の感受性に加えて、その体験を客観的に理解させることができる。
【発明を実施するための最良の形態】
【００１１】
以下に、本発明にかかる免震作用体験設備の好適な実施形態を、添付図面を参照して詳細に説明する。第１実施形態にかかる免震作用体験設備は基本的には、図１および図２に示すように、現実の地震振動をモデル化した振動波形を与えることによりそれを再現できる振動試験装置１と、免震手段としての左右方向免震手段２を介して互いに相対的に変位する上下二層として、上部プレート３と中間プレート４とを備えて構成され、中間プレート４が下部プレート５を介して振動試験装置１に取り付けられ、上部プレート３が体験ゾーンＥとされる免震試験装置６と、免震試験装置６および振動試験装置１から振動絶縁された計測位置Ｐの間に設けられ、上部プレート３と中間プレート４それぞれの変位を個別に表示する表示手段７とを備え、表示手段７は、計測位置Ｐに、体験ゾーンＥに向かい合わせて配置されたスケール８と、上部プレート３および中間プレート４それぞれに個別に固定して設けられ、スケール８に向けて指向性の光線Ｂを出力する発光源としての上下一対のレーザーポインタ９，１０とを備えて構成される。第１実施形態にあっては後述するように、振動入力により、上部プレート３に対し、左右方向に中間プレート４および下部プレート５を一体的に相対移動させるようにしていて、このような場合には、表示手段７の下レーザーポインタ１０は、中間プレート４あるいは下部プレート５のいずれに取り付けてもよい。左右方向の相対移動に加えて、中間プレート４に対し下部プレート５を前後方向に相対移動させる場合には、すべてのプレート３〜５にレーザーポインタ９，１０を設けるとともに、左右方向用および前後方向用のスケール８を備えるようにすれば、左右方向と前後方向の振動をともに視覚的に体験させることができる。
【００１２】
免震試験装置１の免震作用を調整するために、上部プレート３と中間プレート４の相対変位を抑制する制動手段として電磁ブレーキシステム１１を備える。また電磁ブレーキシステム１１の操作部１２が、体験ゾーンＥに設けられる。
【００１３】
振動試験装置１は、床面１３上に設置される。この振動試験装置１は、現実の地震振動に則した三次元方向の振動を生成するだけでなく、床面１３に沿う前後左右の少なくともいずれか一方向に沿って横方向振動を生成することも可能な二次元振動生成機能も備える振動発生装置（図示せず）と、振動発生装置に支持されつつその外側を覆って設けられ、振動発生装置によって床面１３上で横方向に振動される台座１４とを備える。この振動試験装置１の台座１４上には、免震試験装置６が搭載される。免震試験装置６は主に、３層をなす鋼製の上部プレート３、鋼製の中間プレート４および鋼製の下部プレート５と、上部プレート３と中間プレート４との間に設けられる左右方向免震手段２と、中間プレート４と下部プレート５との間に設けられる前後方向免震手段１６と、下部プレート５を台座１４上に固定支持する脚部１５とを備える。
【００１４】
左右方向免震手段２は、上部プレート３の下面四隅に取り付けられる下面が平坦な上部レール１７と、中間プレート４の上面四隅に取り付けられる上面が平坦な下部レール１８と、これらレール１７，１８間を転動する偏心ローラ１９とを備える。
【００１５】
偏心ローラ１９は、転動中心が互いに偏心された大径ローラ１９ａと小径ローラ１９ｂとを一体化して形成され、大径ローラ１９ａは上部レール１７に接触して上部レール１７上を、小径ローラ１９ｂは下部レール１８に接触して下部レール１８上を転動する。そして偏心ローラ１９は、大径ローラ１９ａと小径ローラ１９ｂとが偏心されていることにより、上部プレート３と中間プレート４が相対移動すると、これらレール１７，１８間で転動し、他方、振動が収まると、下部レール１８もしくは上部レール１７の中央に戻ってプレート３，４位置を復帰させて転動を停止する復原作用を発揮する。
【００１６】
そしてこの左右方向免震手段２は、偏心ローラ１９が上部レール１７と下部レール１８との間で転動し、これにより上部プレート３と中間プレート４の左右方向相対移動を許容して免震作用を呈する。
【００１７】
前後方向免震手段１６は、左右方向免震手段２と同じ構成であって、当該左右方向免震手段２と直交する配置で中間プレート４と下部プレート５との間に設けられる。第１実施形態にあっては、前後左右のいずれか一方向のみの振動入力、具体的には左右方向のみの振動入力を対象としていて、このような場合には、下部プレート５と前後方向免震手段１６を省略し、中間プレート４を、脚部１５を介して振動試験装置１上に固定支持するようにしてもよい。図示した３層からなる免震試験装置６にあっては、左右方向振動入力に対し、前後方向免震手段１６が下部プレート５に作用する振動を中間プレート４にそのまま伝達することから、これら中間プレート４と下部プレート５とは同じモードで一体的に振動する。他方、上部プレート３上には、体験者が着席するシートベルト付きの椅子２０が設置されて、免震作用の体験ゾーンＥとされる。
【００１８】
表示手段７は図２に示すように、免震試験装置６に備えた上部プレート３および下部プレート５と、振動試験装置１が設置された床面１３あるいは当該床面１３とは独立して形成された他の床面であって、いずれにしても、振動試験装置１や免震試験装置６から振動絶縁された計測位置Ｐとの間に設けられる。表示手段７は、体験ゾーンＥから見ることができるように、計測位置Ｐに体験ゾーンＥに向かい合わせて配置され、左右方向変位位置を指示するための上下一対の目盛りで構成されるスケール８が描かれた、スタンド付きの表示パネル２１と、上部プレート３および下部プレート４それぞれに個別に固定して設けられ、スケール８の各目盛りに向けて指向性の光線Ｂを出力する上下一対のレーザーポインタ９，１０とを備えて構成される。
【００１９】
上部プレート３の上レーザーポインタ９および下部プレート５の下レーザーポインタ１０はそれぞれ、これらが出力する光線Ｂが表示パネル２１に当たってスケール８上の各目盛りを指示することで、視覚的に上部プレート３および下部プレート５それぞれの横方向変位位置を個別に示す。
【００２０】
振動試験装置１で発生させる振動によって、左右方向免震手段２だけでなく、前後方向免震手段１６も作用させる場合には、上述したように、すべてのプレート３〜５にレーザーポインタ９，１０を設けるとともに、左右方向用および前後方向用のスケール８を備えるようにすれば、左右方向と前後方向の振動をともに視覚的に体験させることができる。
【００２１】
制動手段は、第１実施形態にあっては、周知の電磁ブレーキシステム１１で構成される。電磁ブレーキシステム１１は、上部プレート３および中間プレート４が互いに相対的に変位する面に沿って上部プレート３に固定され、かつ中間プレート４に近接させて配置された左右方向免震手段２用の第１電磁石２２と、中間プレート４および下部プレート５が互いに相対的に変位する面に沿って下部プレート５に固定され、かつ中間プレート４に近接させて配置された前後方向免震手段１６用の第２電磁石２３と、これら電磁石２２，２３へ通電する電源２４と、電源２４とこれら電磁石２２，２３との間に設けられ、各電磁石２２，２３の磁力を個別に増減調整する変圧器２５と、電源２４のＯＮ・ＯＦＦや変圧器２５を制御するための操作部１２とを備える。
【００２２】
操作部１２で変圧器２５を操作して磁力を増減調整することで制動力を可変し、これにより上部プレート３と中間プレート４あるいは中間プレート４と下部プレート５の相対移動を徐々に制動したり瞬時に制動する。完全な制動状態では、非免震状態となり、徐々に制動力を弱めたり、制動作用を解除することで、それらに応じた免震状態となる。操作部１２は、体験ゾーンＥの体験者が任意に操作することができるように、体験ゾーンＥの椅子２０に設けられる。
【００２３】
第１実施形態にかかる免震作用体験設備の作用について説明すると、体験者が免震作用を体験するに際しては、体験者は上部プレート３上の体験ゾーンＥの椅子２０に着席する。体験者が着席したならば、上下一対のレーザーポインタ９，１０を発光させるとともに、振動試験装置１を起動する。これにより、振動試験装置１の台座１４が左右方向に振動する。電磁ブレーキシステム１１の電源２４がＯＦＦとなっている状態では、電磁ブレーキシステム１１は作動せず、免震試験装置６は免震作用を発揮する。
【００２４】
免震作用により、上部プレート３は、振動試験装置１の振動によって左右方向に振動する下部プレート５および中間プレート４に対して免震され、緩やかに揺れる。この状態は、体験者が体験ゾーンＥから、下部プレート５および上部プレート３それぞれの上下一対のレーザーポインタ９，１０からの光線Ｂが表示パネル２１のスケール８の各目盛り上で移動する状態を見ることで知ることができる。この場合、下レーザーポインタ１０の光線Ｂが大きく左右に振れ動くのに比べ、上レーザーポインタ９の光線Ｂの左右方向の揺れが小さいことで、上部プレート３上で受ける体感上の揺れに加えて、その揺れ量が視覚的にかつ客観的にスケール８の目盛り上に表示される。図２（ｂ）では、上部プレート３の振動変位が「免震」として、下部プレート５の振動変位が「非免震」として示されている。
【００２５】
体験者が操作部１２を用いて電磁ブレーキシステム１１の電源２４をＯＮに切り替えると、電磁ブレーキシステム１１の制動作用を働かせることが可能となり、変圧器２５を操作して第１電磁石２２の磁力を増減調整することで、上部プレート３と中間プレート４との相対移動を制動する制動力を変化させることができ、これにより免震作用の減殺が調整される。完全に制動すると、非免震状態となる。非免震状態では、上下のレーザーポインタ９，１０のスケール８上の指示は同一となり、体験者は体験ゾーンＥで非免震状態の揺れを体感しつつ、その揺れ量が視覚的かつ客観的にスケール８上の目盛りに表示される。
【００２６】
以上説明したように、第１実施形態にかかる免震作用体験設備にあっては、免震試験装置６および振動試験装置１から振動絶縁された計測位置Ｐの間に設けられ、上部プレート３と中間プレート４それぞれの変位を個別に表示する表示手段７を備え、表示手段７を、計測位置Ｐに、体験ゾーンＥに向かい合わせて配置されたスケール８と、上部プレート３および中間プレート４もしくは下部プレート５それぞれに個別に固定して設けられ、スケール８に向けて指向性の光線Ｂを出力する上下一対のレーザーポインタ９，１０とを備えて構成したので、免震体験を、体験者の実感のみに頼るだけでなく、変位位置を指示するスケール８にレーザーポインタ９，１０からの光線Ｂを当てることで、視覚的もしくは体感的にわかりやすい共通の指標・基準等で感受させることができ、免震作用の体験中、体験者個々の感受性に加えて、その体験を客観的に理解させることができる。
【００２７】
また、中間プレート４と上部プレート３の相対変位を抑制する電磁ブレーキシステム１１を備えたので、免震試験装置６の免震作用を調整して非免震状態から完全な免震状態までの変化を体験者に体験させることができ、免震効果を体験者に的確に認知させることができる。また、電磁ブレーキシステム１１の磁力調整で制動作用を得るようにしたので、免震試験装置６の免震作用を可変的に変化させることができる。電磁ブレーキシステム１１の操作部１２を体験ゾーンＥに設けたので、体験者が自らの意思で免震・非免震を任意に調整することが可能で、体験設備として優れるとともに、安全性も確保することができる。
【００２８】
図３には、上記第１実施形態の変形例が示されている。この変形例では、制動手段として、電磁ブレーキシステム１１に代えて、周知のディスクブレーキシステム２６が採用されている。ディスクブレーキシステム２６は、案内ローラ部１９ｂに設けたディスク２７を、上部レール１７に設置したキャリパ２８で挟み込んで制動するようにしていて、キャリパ２８を作動させるための油圧供給は、体験ゾーンＥに設けた操作部としてのブレーキペダル２９を踏み込むことで油圧供給系３０を介して行われるようになっている。このようなディスクブレーキシステム２６であっても、電磁ブレーキシステム１１と同様な作用・効果を奏することができ、このような変形例にあっても、上記第１実施形態と同様な作用・効果を得ることができる。
【００２９】
図４および図５には、本発明にかかる免震作用体験設備の第２実施形態が示されている。この第２実施形態は基本的には、横方向振動を生成する振動試験装置１と、免震手段としての左右方向免震手段２を介して互いに相対的に変位する上下二層として、上部プレート３と中間プレート４とを備えて構成され、中間プレート４が下部プレート５を介して振動試験装置１に取り付けられ、上部プレート３が体験ゾーンＥとされる免震試験装置６と、上部プレート３と中間プレート４の間に設けられ、これら上部プレート３と中間プレート４のいずれか一方に対する他方の変位を表示する表示手段７とを備え、表示手段７は、上部プレート３と中間プレート４のいずれか一方に設けられたスケール８と、いずれか他方に設けられ、スケール８の目盛りを指示する指示部材として指示針３１とを備えるとともに、上部プレート３は、体験ゾーンＥからスケール８を見通すことが可能な透明素材で形成される。
【００３０】
この第２実施形態は、上記第１実施形態に対し、表示手段７に特長を有する。表示手段７のスケール８は図示例にあっては、中間プレート４に設けられる。スケール８には左右方向変位を示す目盛りが設けられる。他方、上部プレート３には、中間プレート４へ向かって垂下させて、スケール８上を移動する指示針３１が設けられる。スケール８上には、静止状態で指示針３１が示す指示位置に、中間プレート４の原点位置を示すマーク３２が設けられる。また、上部プレート３は、表示手段７のスケール８や指示針３１、マーク３２を体験ゾーンＥから見通すことができるように、ＡＢＳ樹脂などの透明な硬質合成樹脂材で形成される。
【００３１】
また、第２実施形態にあっては、制動手段としての電磁ブレーキシステム１１の電磁石２２，２３が、第１実施形態ではプレート３，４，５間であったことに代えて、鋼製の上部レール１７と鋼製の下部レール１８との間に設けられる。具体的には、第２実施形態の電磁ブレーキシステム１１は、上部プレート３と中間プレート４との間の左右方向免震手段２の上部レール１７および下部レール１８が互いに相対的に変位する面に沿って上部レール１７に固定され、かつ下部レール１８に近接させて配置された第１電磁石２２と、中間プレート４と下部プレート５との間の前後方向免震手段１６の上部レール１７および下部レール１８が互いに相対的に変位する面に沿って下部レール１８に固定され、かつ上部レール１７に近接させて配置された第２電磁石２３とを備える他は、第１実施形態と同様に構成されて、第１実施形態の電磁ブレーキシステム１１と同様に機能される。
【００３２】
第２実施形態にかかる免震作用体験設備の作用について説明すると、体験者が免震作用を体験するに際しては、体験者は上部プレート３上の体験ゾーンＥの椅子２０に着席する。体験者が着席したならば、振動試験装置１を起動する。これにより、振動試験装置１の台座１４が左右方向に振動する。電磁ブレーキシステム１１の電源２４がＯＦＦとなっている状態では、電磁ブレーキシステム１１は作動せず、免震試験装置６は免震作用を発揮する。
【００３３】
免震作用により、上部プレート３は、振動試験装置１の振動によって左右方向に振動する下部プレート５および中間プレート４に対して免震され、緩やかに揺れる。この状態は、体験者が体験ゾーンＥから、透明な上部プレート３を介して、スケール８の目盛り上を移動する指示針３１の移動状態を見ることで知ることができる。この場合、マーク３２に対して指示針３１がずれる量によって、上部プレート３上で受ける体感上の揺れに加えて、その変位量が視覚的にかつ客観的にスケール８の目盛り上に表示される。
【００３４】
体験者が操作部１２を用いて電磁ブレーキシステム１１を作動させて非免震状態にすると、マーク３２と指示針３１は常に一致してズレ量はゼロとなり、体験者は体験ゾーンＥで非免震状態の揺れを体感しつつ、その様子が視覚的かつ客観的にスケール８上の目盛りに表示される。
【００３５】
以上説明したように、第２実施形態にかかる免震作用体験設備にあっては、上部プレート３と中間プレート４の間に設けられ、これら上部プレート３と中間プレート４のいずれか一方に対する他方の変位を表示する表示手段７を備え、この表示手段７として、上部プレート３と中間プレート４のいずれか一方に設けられたスケール８と、いずれか他方に設けられ、スケール８の目盛りを指示する指示針３１とを備えるとともに、上部プレート３を、体験ゾーンＥからスケール８を見通すことが可能な透明素材で形成したので、免震体験を、体験者の実感のみに頼るだけでなく、変位位置を指示するスケール８の目盛りを指し示す指示針３１によって、視覚的もしくは体感的にわかりやすい共通の指標・基準等で感受させることができ、免震作用の体験中、体験者個々の感受性に加えて、その体験を客観的に理解させることができる。
【００３６】
また、第２実施形態にあっては、上部プレート３を透明素材で形成するとともに、指示針３１を設けることで、レーザーポインタ９，１０などの設備が不要であって、安価にかつ簡単に構成することができる。第２実施形態にあっても、上記第１実施形態と同様な作用・効果を奏することはもちろんである。
【００３７】
図６には、本発明にかかる免震作用体験設備の第３実施形態が示されている。この第３実施形態は基本的には、横方向振動を生成する振動試験装置１と、免震手段としての左右方向免震手段２を介して互いに相対的に変位する上下二層として、上部プレート３と中間プレート４とを備えて構成され、中間プレート４が下部プレート５を介して振動試験装置１に取り付けられ、上部プレート３が体験ゾーンＥとされる免震試験装置６と、振動試験装置１から振動絶縁された計測位置Ｐに設けられ、上部プレート３の変位を表示する表示手段７とを備え、計測位置Ｐは体験ゾーンＥの変位領域に設定され、表示手段７は、体験ゾーンＥの変位領域内に変位の大きさに応じて多段に配列された移動可能な変位位置指示部材３３とされる。
【００３８】
この第３実施形態は、上記第１および第２実施形態に対し、計測位置Ｐと表示手段７に特長を有する。振動試験装置１から振動絶縁された計測位置Ｐは第３実施形態では、上部プレート３上方の空間とされる。またさらに、計測位置Ｐが設定される体験ゾーンＥの変位領域とは、上部プレート３の揺れの範囲、すなわち体験ゾーンＥが左右方向に移動する範囲であって、この体験ゾーンＥの移動範囲に計測位置Ｐが設定される。より具体的には、上部プレート３上の椅子２０が当該上部プレート３とともに移動する空間領域が計測位置Ｐとして設定される。
【００３９】
表示手段７は、上部プレート３の変位を表示するために、上部プレート３の体験ゾーンＥの変位領域内に設けられる。表示手段７は、天井等から垂らされた紐などの吊り材３４と、体験ゾーンＥの椅子２０に隣接する配置で吊り材３４に吊り下げられた棒状材３５とからなる変位位置指示部材３３で構成される。棒状材３５は、椅子２０に着席している体験者が衝突しても安全なように、軽量でソフトなタッチの合成樹脂材などで形成される。図示例にあっては、棒状材３５は、椅子２０を囲繞する環状に形成されているけれども、真っ直ぐな形態など、その他の形態であっても良い。そして椅子２０に着席している体験者が棒状材３５に接近あるいは衝突したり、棒状材３５から離れた状態にあることを見たり触れたりして感受することで、上部プレート３の変位を認知するようになっている。
【００４０】
このような変位位置指示部材３３はまた、変位の大きさ、例えば図示したように、震度５のレベル、震度６のレベル、震度７のレベルなど、震度の大きさに従った上部プレート３の揺れ量、ひいては椅子２０の移動位置に対応させて、多段に複数配列される。図示例にあっては、椅子２０を中心に、環状の棒状材３５が同心円上に配列されている。これにより、いずれの位置の棒状材３５に接近しあるいは衝突したかにより、より具体的な上部プレート３の変位が認知される。この第３実施形態にあっても、図示しないけれども、第１および第２実施形態と同様に、制動手段や操作部が設けられている。
【００４１】
第３実施形態にかかる免震作用体験設備の作用について説明すると、体験者が免震作用を体験するに際しては、体験者は上部プレート３上の体験ゾーンＥの椅子２０に着席する。体験者が着席したならば、振動試験装置１を起動する。これにより、振動試験装置１の台座１４が左右方向に振動する。制動手段が制動解除している状態では、免震試験装置６は免震作用を発揮する。免震作用により、上部プレート３は、振動試験装置１の振動によって左右方向に振動する下部プレート５および中間プレート３に対して免震され、緩やかに揺れる。この状態は、体験者が変位位置指示部材３３の棒状材３５との距離を見たり接触を感じることで知ることができる。この場合、変位位置指示部材３３との距離感などによって、上部プレート３上で受ける体感上の揺れに加えて、その変位量が視覚的にかつ客観的に体験者に表示される。
【００４２】
体験者が操作部を用いて制動手段を作動させて非免震状態にすると、体験者は体験ゾーンＥで非免震状態の揺れを体感しつつ、その様子が変位位置指示部材３３に対する接離、この場合は特に接近速度等によって視覚的かつ客観的に体験者に表示される。
【００４３】
以上説明したように、第３実施形態にかかる免震作用体験設備にあっては、振動試験装置１から振動絶縁された計測位置Ｐに設けられ、上部プレート３の変位を表示する表示手段７を備え、計測位置Ｐを体験ゾーンＥの変位領域に設定し、表示手段７を、体験ゾーンＥの変位領域内に変位の大きさに応じて多段に配列された移動可能な変位位置指示部材３３としたので、免震体験を、体験者の実感のみに頼るだけでなく、変位位置を指示する変位位置指示部材３３によって、視覚的もしくは体感的にわかりやすい共通の指標・基準等で感受させることができ、免震作用の体験中、体験者個々の感受性に加えて、その体験を客観的に理解させることができる。
【００４４】
また、第３実施形態にあっては、上部プレート３上方に吊り材３４で吊って棒状材３５を配設するだけなので、安価にかつ簡単に構成することができる。この第３実施形態では、前後方向免震手段１６も機能させるようにして、２次元的に上部プレート３を振動させるようにしても良い。第３実施形態にあっても、上記第１および第２実施形態と同様な作用・効果を奏することはもちろんである。
【００４５】
上記いずれの実施形態にあっても、免震手段２，１６として偏心ローラ１９とレール１７，１８を組み合わせた構成のものを例示して説明したが、周知の各種免震手段を適用することができる。また、電磁ブレーキシステム１１は、例えば免震から非免震へ徐々に移行し、非免震から免震に瞬時に移行するなどの制御内容を予めプログラミングしておいて、この制御プログラミングに従って作動させるようにしても良い。
【図面の簡単な説明】
【００４６】
【図１】本発明にかかる免震作用体験設備の第１実施形態を示す正面図である。
【図２】図１に示した第１実施形態の表示手段を説明するための説明図である。
【図３】図１に示した第１実施形態の変形例を示す正面図である。
【図４】本発明にかかる免震作用体験設備の第２実施形態を示す正面図である。
【図５】図４に示した第２実施形態の表示手段を説明するための要部拡大側断面図である。
【図６】本発明にかかる免震作用体験設備の第３実施形態を示す正面図である。
【符号の説明】
【００４７】
１  振動試験装置
２  左右方向免震手段
３  上部プレート
４  中間プレート
６  免震試験装置
７  表示手段
８  スケール
９，１０  上下一対のレーザーポインタ
１１  電磁ブレーキシステム
１２  操作部
２６  ディスクブレーキシステム
３１  指示針
３３  変位位置指示部材
Ｂ  光線
Ｅ  体験ゾーン
Ｐ  計測位置
【図１】
0004694391.tif 000002
【図２】
0004694391.tif 000003
【図３】
0004694391.tif 000004
【図４】
0004694391.tif 000005
【図５】
0004694391.tif 000006
【図６】
0004694391.tif 000007